(57)【要約】【課題】光学機器支持装置が軸方向を中心に不用意に回転してしまうことを防止した光学機器支持装置を提供すること。【解決手段】光学機器を取り付け可能な支持装置の脚部に取り付け可能なカバー部材であって、該カバー部材には、支持装置へ取り付けられた状態で、支持装置が脚部の軸中心に回転するのを規制するための、支持装置の脚部の方向に沿った略平面の回転規制部が設けられており、且つ、該カバー部材には、支持装置へ取り付けられた光学機器に対する支持装置の脚部の軸回転方向の取り付け位相を決定する取付位相決定部を有することを特徴とする。【選択図】図１
2018194759.tif 000002
【特許請求の範囲】
【請求項１】
光学機器を取り付け可能な支持装置の脚部に取り付け可能なカバー部材であって、
該カバー部材には、支持装置へ取り付けられた状態で、支持装置が脚部の軸中心に回転するのを規制するための、支持装置の脚部の方向に沿った平面の回転規制部が設けられており、
且つ、該カバー部材には、支持装置へ取り付けられた光学機器に対する、支持装置の脚部の軸回転方向の取り付け位相を決定する取付位相決定部を有することを特徴とした光学機器に取り付け可能な支持装置に装着されるカバー部材。
【請求項２】
前記カバー部材の取付位相決定部は、前記光学機器に設けられた台座部に取り付けられることを特徴とした請求項１に記載の光学機器に取り付け可能な支持装置に装着されるカバー部材。
【請求項３】
前記カバー部材はクッション性のある部材であることを特徴とする請求項１に記載の光学機器に取り付け可能な支持装置に装着されるカバー部材。
【請求項４】
前記カバー部材の支持装置の脚部への取り付け内周部には滑り止めが形成されていることを特徴とする請求項１に記載の光学機器に取り付け可能な支持装置に装着されるカバー部材。
【請求項５】
前記滑り止めは弾性ゴム部材で構成されていることを特徴とする請求項４に記載の光学機器に取り付け可能な支持装置に取り付けられるカバー部材。
【発明の詳細な説明】
【技術分野】
【０００１】
本発明は、光学機器支持装置に関し、特に交換式レンズ、スチールカメラ、ビデオカメラ、望遠鏡、天体望遠鏡等を支持する一脚、二脚又は三脚に関する。
【背景技術】
【０００２】
従来、手振れを防ぎ安定したカメラ撮影を行うための撮影用具としてや、カメラ撮影の合間のカメラ、レンズの支え等として一脚、二脚又は三脚といった光学機器支持装置が用いられ、撮影現場ではより好条件の撮影環境を得るためカメラマンは光学機器支持装置を抱え移動していることが知られている。その移動の際には再取り付けの手間を省くため光学機器支持装置にカメラやレンズを取り付けたまま移動することが多く、より運搬に適した光学機器支持装置というものが望まれていた。特に超望遠レンズと一脚を組み合わせた状態で肩に担いで移動することが多々あり、これらは重量もあることや、手が塞がってしまうために撮影者の負担となってしまっていた。
【０００３】
そこで、撮影者の負担を軽減する手段として、特許文献１にはカメラを設置したままの光学機器支持装置に背負い紐を連結させることで背中に背負い、両手を自由にした状態で運搬可能な提案がなされている。この機能により徒歩だけでなく自動二輪等でも移動が簡単となり運搬性能を向上することができている。
【先行技術文献】
【特許文献】
【０００４】
【特許文献１】特許第４２２１６０２号公報
【発明の概要】
【発明が解決しようとする課題】
【０００５】
しかしながら、上述の特許文献１に開示された従来技術では、交換式レンズを設置した光学機器支持装置を担いで移動している際や、光学機器支持装置を机などに立て掛けた際、光学機器支持装置が円筒の棒形状を有するため光学機器支持装置の軸方向を中心に回転してしまい落下する虞があった。さらに近年の、超望遠レンズは軽量化や重心のバランス取りが進められていている。それによりレンズとカメラの重心が光学機器支持装置の取り付け部と近くなっていることもあり、以前よりも光学機器支持装置が回転する方向の予測がつきにくく、不用意に回転し落下する虞がさらに増加してきていた。
【０００６】
また、光学機器支持装置が軸中心に回転することで超望遠レンズが空を向き、太陽光を集光してしまうという恐れもあった。
【０００７】
そこで、本発明の目的は、光学機器支持装置が軸方向を中心に不用意に回転してしまうことを防止した光学機器支持装置を提供することにある。
【課題を解決するための手段】
【０００８】
上記の目的を達成するために、本発明に係る光学機器支持装置は、
光学機器を取り付け可能な支持装置の脚部に取り付け可能なカバー部材であって、該カバー部材には支持装置へ取り付けられた状態で支持装置が脚部の軸中心に回転するのを規制するための、支持装置の脚部の方向に沿った略平面の回転規制部が設けられており、且つ、該カバー部材には支持装置へ取り付けられた光学機器に対する、支持装置の脚部の軸回転方向の取り付け位相を決定する取付位相決定部を有することを特徴とする。
【発明の効果】
【０００９】
本発明によれば、光学機器支持装置が軸方向を中心に不用意に回転してしまうことを防止した光学機器支持装置を提供することができる。
【図面の簡単な説明】
【００１０】
【図１】本発明の実施形態における構成斜視図
【図２】本発明の主要部構成の説明図
【図３】本発明の使用状況の説明図
【図４】本発明の形状例についての説明図
【発明を実施するための形態】
【００１１】
以下、図１〜３を参照して、本発明の実施例による落下の虞を防止した光学機器支持装置について説明する。
【実施例１】
【００１２】
図１は、本発明の実施形態にかかわる構成斜視図である。
【００１３】
図１のカメラ１と交換式レンズ２はバヨネット結合されている。カメラ１と交換レンズ２は組み合わされることによりカメラ１内にある記憶媒体に映像を記憶することができる。また交換レンズ２は超望遠レンズであり、一脚、二脚又は三脚といった光学機器支持装置に取り付けられスポーツ競技の撮影に利用されている。特にスポーツ競技の撮影には撮影場所に三脚を広げるスペースがないことが多く、図１のような一脚３が用いられているのが知られている。
【００１４】
一脚３は台座３０１にカメラ１または交換式レンズ２に設けられている雌ネジに対応した雄ネジが設けられており、ネジ結合することによりカメラ１または交換式レンズ２と一脚３が組み合わされる。一脚３を地面に立てることで写真撮影時に手振れすることを軽減するとともに、カメラ１と交換式レンズ２の重量を一脚３がうけることで撮影者の負担を減らすことができる。また本実施例では一脚３にはカバー部材４が取り付けられ、ベルト４０２によって一脚３とカバー部材４は固定されている。ベルト４０２は面ファスナーやバックル等を利用することで固定される。
【００１５】
上述のカバー部材４の構成を図２を用い説明する。取付部４０１は弾性ゴム部材で構成されており、弾性変形させながら一脚３に取りつけられる。取付部４０１は弾性ゴムであるので摩擦力が大きく一脚３に対して滑りにくくなっている。その際、ベルト４０２でカバー部材４と一脚３を縛りつけ固定するなどするとさらに強固に固定することができる。また、撮影者が図３のように一脚３を肩に担いだ際に、肩を傷めないようカバー４を構成するカバーベース４０３はクッション性材料で構成されている。
【００１６】
図２に示しているカバーベース４０３は平面部（略平面部）４０４を有している。この平面部４０４が一脚３の脚部の長さ方向に形成されており、カバー部材４にはこの平面部４０４に垂直の方向に交換レンズ２が向くように固定できる回転規制ストラップ４０５が設けられている。回転規制ストラップ４０５は図１のように交換レンズ２のストラップ穴部２０１に通されることで交換レンズ２の前玉の向きをカバー部材４の平面部の法線の向きと合わせて脚部の軸回転方向の取り付け位相を決定することができる回転規制構成となっている。
【００１７】
図３の５は横を向いた人間を表しており、５０１が肩、５０２は頭、５０３は胴を表している。前述の平面部４０４は図３のように一脚３を肩に担いだ際に肩に当たる部分となる。平面であるために肩に担いだ時一脚３がカメラ１や交換レンズ２ごと回転しなくなり、前述の回転規制構成のために、平面部４０４の垂直方向に交換レンズ２の前玉が向くため、一脚３を肩に担ぎ移動する際に回転せずに交換レンズ２の前玉側が常に地面を向くこととなる。上述のようにすることで一脚座が回転し肩等から落ちてしまうことを防ぐことが可能となり、交換レンズ２が空を向き太陽光を集光してしまうことも防ぐことが可能となる。
【００１８】
前述した平面部４０４は図４に示したような形状でもかまわない。図４のように緩い曲率面５０１、波打った形状の６０１、凹形状となった７０１といった形状でも担いで移動している際や、机などに立て掛けた際一脚の軸方向中心に回転するのを防ぐことができ本発明の課題を解決することが可能である。
【００１９】
以上、本発明の好ましい実施形態について説明したが、本発明はこれらの実施形態に限定されず、その要旨の範囲内で種々の変形及び変更が可能である。
【符号の説明】
【００２０】
１  カメラ、２  交換式レンズ、２０１  ストラップ穴部、３  一脚、
４  カバー部材、４０１  一脚取り付け部、４０２  ベルト、
４０３  カバーベース、４０４  平面部、４０５  回転規制ストラップ
【図１】
2018194759.tif 000003
【図２】
2018194759.tif 000004
【図３】
2018194759.tif 000005
【図４】
2018194759.tif 000006